(57)【要約】 【課題】  レンズユニットをハウジングに対して、ハウジングの基準軸線に沿う方向および垂直な方向の両方向への位置調整および姿勢調整することができ、かつ信頼性の高い光ピックアップ装置および光ピックアップ装置の製造方法を提供することである。【解決手段】支持手段をハウジングに対して基準軸線に沿う基準方向の位置を調整可能に設け、支持手段によってレンズユニットの予め定める１箇所の被支持部を、基準方向のうち、少なくとも一方の基準方向下流側から支持して、レンズユニットを、ハウジングに対して、前記被支持部まわりに角変位可能にかつ基準方向に垂直な方向へスライド変位可能に支持する、レンズユニットが、ハウジングに対して、予め定める基準位置および基準姿勢にある状態で、レンズユニットをハウジングに連結手段によって連結する。【選択図】      図１
2007035097.tif 000002
【特許請求の範囲】
【請求項１】
基準軸線を有するハウジングと、
対物レンズおよび対物レンズを変位駆動する駆動源を有し、対物レンズの軸線が基準軸線に略平行に配置される状態で、ハウジングに搭載されるレンズユニットと、
ハウジングに対して基準軸線に沿う基準方向の位置を調整可能に設けられ、レンズユニットの予め定める１箇所の被支持部を、基準方向のうち、少なくとも一方の基準方向下流側から支持して、レンズユニットを、ハウジングに対して、前記被支持部まわりに角変位可能にかつ基準方向に垂直な方向へスライド変位可能に支持する支持手段と、
レンズユニットが、ハウジングに対して、予め定める基準位置および基準姿勢にある状態で、レンズユニットをハウジングに連結する連結手段とを含むことを特徴とする光ピックアップ装置。
【請求項２】
支持手段は、
ハウジングに対する基準方向の位置を調整可能に設けられ、前記被支持部に、一方の基準方向下流側から当接する第１支持体と、
ハウジングに基準方向へ弾発的に変位可能に保持され、前記被支持部に、他方の基準方向下流側から弾発的に当接する第２支持体と有することを特徴とする請求項１に記載の光ピックアップ装置。
【請求項３】
ハウジングに設けられ、弾発的に変形可能な保護カバーをさらに含み、
前記第２支持体は、保護カバーに設けられることを特徴とする請求項２に記載の光ピックアップ装置。
【請求項４】
第１および第２支持体は、レンズユニットの被支持部に当接する部分の外表面が、凸に湾曲する曲面に形成されることを特徴とする請求項２または３に記載の光ピックアップ装置。
【請求項５】
第１および第２支持体が前記被支持部に当接する各当接位置の中心点を結ぶ仮想一直線は、基準軸線に関して略平行な方向であることを特徴とする請求項２〜４のいずれか１つに記載の光ピックアップ装置。
【請求項６】
前記被支持部は、対物レンズの近傍に配置されることを特徴とする請求項１〜５いずれか１つに記載の光ピックアップ装置。
【請求項７】
対物レンズおよび対物レンズを変位駆動する駆動源を有するレンズユニットを、ハウジングに搭載し、レンズユニットの予め定める１箇所の被支持部を、ハウジングの基準軸線に沿う基準方向に位置決めする被支持部位置決め工程と、
レンズユニットのハウジングに対する前記被支持部まわりの角度位置および基準軸線に垂直な方向のスライド位置を調整する位置姿勢調整工程と、
レンズユニットがハウジングに対して基準位置および基準姿勢にあるか否かを判定し、レンズユニットがハウジングに対して基準位置および基準姿勢に配置されるまで、被支持部工程および位置姿勢工程を繰返す繰返し工程と、
レンズユニットがハウジングに対して基準位置および基準姿勢に配置される状態で、レンズユニットとハウジングとを連結する連結工程とを含むことを特徴とする光ピックアップ装置の製造方法。
【発明の詳細な説明】
【技術分野】
【０００１】
レンズユニットの姿勢調整および位置調整機構を備えた光ピックアップ装置および光ピックアップ装置の製造方法に関する。
【背景技術】
【０００２】
図８は、従来の光ピックアップ装置１の正面図である。図９は、光ピックアップ装置１の側面図である。光ピックアップ装置１は、ハウジング２と、レンズユニット４とを含んで構成される。ハウジング２は、大略的にＵ字状の側壁部１４と、側壁部１４の両端部を連結する連結部１５とを有する。ハウジング２は、基準軸線Ｌ２（図７の紙面垂直な軸線）を有しており、側壁部１４は、基準軸線Ｌ２と垂直な仮想平面に沿って延びている。レンズユニット４は、ハウジング２の側壁部１４に囲まれる領域に、少なくとも部分的に嵌まり込んで、ハウジング２に搭載されている。
【０００３】
レンズユニット４は、対物レンズ３と、駆動源５と、基部６とを含んで構成される。対物レンズ３は、対物レンズ３の軸線（以下「レンズ軸線」という）Ｌ３に沿うレンズ軸線方向Ｚ１，Ｚ２および一レンズ軸直角方向Ｘ１，Ｘ２へ、予め定める可動範囲内で、変位可能に基部６に保持されている。駆動源５は、基部６に設けられ、対物レンズ３を基部６に対してレンズ軸線方向Ｚ１，Ｚ２および一レンズ軸直角方向Ｘ１，Ｘ２へ、前記可動範囲内で変位駆動する。レンズユニット４は、レンズ軸線Ｌ３と基準軸線Ｌ２とが一致し、かつ一レンズ軸直角方向Ｘ１，Ｘ２と一基準軸直角方向とが一致するように、ハウジング２に搭載される。一レンズ軸直角方向Ｘ１，Ｘ２は、レンズ軸線方向Ｚ１，Ｚ２に垂直な一方向である。一基準軸直角方向は、ハウジング２における基準軸線Ｌ２に垂直な一方向である。
【０００４】
光ピックアップ装置１は、記録用のディスク７に対して、情報を記録および再生する記録再生装置に搭載される。記録再生装置は、ディスク７が着脱可能に装着されるターンテーブルと、ターンテーブルを回転駆動する駆動源とが設けられている。ディスク７は、記録面とターンテーブルの回転軸線とが垂直になるように、ターンテーブルに装着される。光ピックアップ装置１は、基準軸線Ｌ２がターンテーブルの回転軸線と平行になり、基準軸線Ｌ２と直交して一基準軸直角方向に延びる仮想直線が、ターンテーブルの回転軸線と直交する状態で、記録再生装置に設けられる。また光ピックアップ装置１は、基準軸線Ｌ２上に存在する基準点が、ターンテーブルに対して回転軸線に垂直な基準面と一致するように、回転軸線に沿う方向に位置決めされる。さらに光ピックアップ装置１は、一基準軸直角方向へ変位可能に設けられ、記録再生装置に設けられるピックアップ駆動源によって、一基準軸直角方向へ変位駆動される。
【０００５】
光ピックアップ装置１は、ターンテーブルの回転に合せて、基準点を含む基準軸線Ｌ２がディスク７に渦巻き状に形成されるトラックに沿って移動するように、一基準軸直角方向へ変位駆動される。また光ピックアップ装置１は、発光素子を備えており、発光素子から発せられる光ビームを対物レンズ３に導き、対物レンズ３でディスク７の記録面８に集光させて照射する。光ピックアップ装置１は、基準軸線Ｌ２がディスクのトラックに沿って移動するように変位駆動されながら、発光素子からの光ビームを記録面８に照射することによって、トラックに沿って記録される情報を再生し、またはトラックに沿って情報を記録することができる。
【０００６】
記録再生装置では、たとえばディスク７およびターンテーブルの製造時の加工精度に起因して、ターンテーブルの回転軸線とトラックの中心軸線とがずれている、また記録面８が回転軸線に垂直な面に対して傾斜する状態になることがある。したがって対物レンズ３で集光した光ビームをトラックに追従させるためには、対物レンズ３の緻密な位置制御、レンズ軸線Ｌ３に沿う方向の位置制御および迅速な位置制御が要求される。ところが記録再生装置に設けられる駆動源によって光ピックアップ装置１を駆動する構成だけでは、対物レンズ３の緻密な位置制御ができず、しかも基準軸線Ｌ２に沿う方向の位置制御および迅速な位置制御はできない。したがって光ピックアップ装置１は、レンズユニット４が、対物レンズ３を駆動源５で変位駆動できるように構成されている。記録再生装置では、このように光ピックアップ装置１全体を変位させることによる粗い位置制御に加えて、対物レンズ３だけを変位させることによる緻密な位置制御を実行することによって、対物レンズ３で集光される光ビームを、トラックに追従させることができる。
【０００７】
レンズユニット４内で、対物レンズ３だけを変位させる緻密な位置制御では、対物レンズ３の可動範囲は小さい。したがって対物レンズ３がハウジング２に対して、予め定める基準位置に基準姿勢で設けられていなければ、対物レンズ３を可動範囲内で変位させたとしても、対物レンズ３で集光される光ビームを、トラックに追従させることができない。したがって光ピックアップ装置１は、対物レンズ３が、可動範囲の中央にある状態で、基準軸線Ｌ２とレンズ軸線Ｌ３とが正確に一致し、かつ対物レンズ３の中心位置が基準軸線Ｌ２上の基準点と正確に一致するように、対物レンズ３のハウジング２に対する位置および姿勢を調整して、対物レンズ３を設ける必要がある。
【０００８】
光ピックアップ装置１は、光ピックアップ装置１とは異なる位置および姿勢調整のための装置を用いて、ハウジング２に対してレンズユニット４の位置および姿勢が調整された状態で、ハウジング２とレンズユニット４とが接着剤１１で接着固定されている。接着剤１１は、ハウジング２の側壁１４の内周面部と、レンズユニット４の基部６の外周面部との間に設けられている。
【０００９】
図１０は、他の従来の光ピックアップ装置１Ａを示す斜視図である。図１１は、光ピックアップ装置１Ａにおけるレンズユニット４のハウジング２への連結構造を示す断面図である。光ピックアップ装置１Ａは、図８の光ピックアップ装置１と類似しており、対応する構成には同一の符号を付し、異なる構成についてだけ説明する。光ピックアップ装置１Ａでは、レンズユニット４は、基部６が、ハウジング２に設けられる圧縮コイルばね２２とハウジング２に設けられるピボット１６によって、１箇所の被狭持部１７で狭持され、被挟持部１７とは異なる２箇所での部分で、ハウジング２に係止される調整ねじ部材１８に螺着されて、ハウジング２に搭載される。
【００１０】
ハウジング２には、基準軸線Ｌ２に沿う方向に貫通する挿通孔１９が形成される。ハウジングの挿通孔１９が形成される部分には、挿通孔１９の半径方向内方に突出する突出部２１が形成される。挿通孔１９には、調整ねじ部材１８の軸部が緩やかに挿通される。調整ねじ部材１８は、軸部の一端部に形成される頭部が、突出部２１にレンズユニット４とは反対側から係止され、軸部の他端部がレンズユニット４の基部６に螺着される。突出部２１と基部６との間には、圧縮コイルばね２２が設けられる。圧縮コイルばね２２は、基部６をハウジング２から離反させる方向のばね力を発生させ、基部６に与える。光ピックアップ装置１Ａでは、各調整ねじ部材１８に対するレンズユニット４の基部６の螺着位置を調整することによって、レンズユニット４を被挟持部１７まわりに角変位させて、レンズユニット４のハウジング２に対する姿勢を調整することができる。また調整ねじ部材１８が、挿通孔１９に緩やかに挿通されており、各調整ねじ部材１８を、ハウジング２に対して変位させ、レンズユニット４の基準軸線Ｌ２に垂直な方向の位置を調整することができる。
【００１１】
さらに他の従来の技術として、特許文献１および特許文献２に、球面凹部が形成されたハウジングと、球面凸部が形成される基部を有するレンズユニットとを備える光ピックアップ装置が示されている。この光ピックアップ装置では、基部の球面凸部をハウジングの球面凹部に係合させ、球面凹部および球面凸部を除く部分で、ハウジングと基部とを連結するねじ部材によって、レンズユニットのハウジングに対する姿勢を調整することができる。
【００１２】
【特許文献１】実開平２−７６３１８号公報
【特許文献２】特開平５−５０５２５号公報
【発明の開示】
【発明が解決しようとする課題】
【００１３】
図８および図９に示す光ピックアップ装置１では、レンズユニット４の位置および姿勢を高自由度で調整可能であるが、光ピックアップ装置１の周囲の温度が変化した場合に、接着剤１１と、ハウジング２およびレンズユニット４の材料の差異に起因する熱膨張率の差異によって、レンズユニット４に力が与えられ、ハウジング２に対して変位してしまう場合がある。特に、レンズユニット４とハウジング２とを固定する接着剤１１は、基準軸線Ｌ２と垂直な方向に対向する表面部間に設けられているので、基部６は、ハウジング２に対して、基準軸線Ｌ２に沿う方向に変位しやすい。このようにレンズユニット４がハウジング２に対して変位すると、対物レンズ３の位置および姿勢が変化し、対物レンズ３によって光ビームをトラックに追従させて集光させることができなくなる場合がある。このように光ピックアップ装置１の信頼性が低いという問題がある。
【００１４】
また図１０および図１１に示す光ピックアップ装置１Ａでは、被狭持部１７が基準軸線Ｌ２に沿う方向に関して位置決めされているので、レンズユニット４のハウジングに対する基準軸線に沿う方向の位置調整ができない。また調整ねじ部材１８は、レンズユニット４の基準軸線Ｌ２に垂直な方向の位置調整および姿勢調整を可能にするために、ハウジング２の挿通孔１９に緩やかに挿通されている。光ピックアップ装置１Ａでは、レンズユニット４の姿勢を調整した後に、調整ねじ部材１８が挿通孔１９の半径方向へ不所望に変位して、レンズユニット４がハウジング２に対して、基準軸線Ｌ２に垂直な方向へ変位してしまう場合がある。したがって光ピックアップ装置１Ａは、図８および図９の光ピックアップ装置１と同様に、信頼性が低いという問題がある。
【００１５】
また特許文献１および２に示される光ピックアップ装置では、レンズユニットの姿勢調整のみを目的とした構成となっており基準方向に関する位置調整が可能な構成ではない。
【００１６】
本発明の目的は、レンズユニットをハウジングに対して、ハウジングの基準軸線に沿う方向および垂直な方向の両方向への位置調整および姿勢調整することができ、かつ信頼性の高い光ピックアップ装置および光ピックアップ装置の製造方法を提供することである。
【課題を解決するための手段】
【００１７】
本発明は、基準軸線を有するハウジングと、
対物レンズおよび対物レンズを変位駆動する駆動源を有し、対物レンズの軸線が基準軸線に略平行に配置される状態で、ハウジングに搭載されるレンズユニットと、
ハウジングに対して基準軸線に沿う基準方向の位置を調整可能に設けられ、レンズユニットの予め定める１箇所の被支持部を、基準方向のうち、少なくとも一方の基準方向下流側から支持して、レンズユニットを、ハウジングに対して、前記被支持部まわりに角変位可能にかつ基準方向に垂直な方向へスライド変位可能に支持する支持手段と、
レンズユニットが、ハウジングに対して、予め定める基準位置および基準姿勢にある状態で、レンズユニットをハウジングに連結する連結手段とを含むことを特徴とする光ピックアップ装置である。
【００１８】
本発明に従えば、レンズユニットの被支持部が、少なくとも一方の基準方向下流側から支持手段によって支持され、これによってレンズユニットが、ハウジングに対して、被支持部まわりに角変位可能にかつ基準方向に垂直な方向へスライド変位可能に支持される。これによってレンズユニットをハウジングに対して姿勢調整可能であるとともに、基準方向に垂直な方向へ位置調整可能である。さらに支持手段は、ハウジングに対する基準方向の位置を調整可能であり、この支持手段を基準方向へ位置調整することによって、レンズユニットをハウジングに対して基準方向へ位置調整することができる。したがってレンズユニットのハウジングに対する基準方向の位置および基準方向に垂直な方向の位置ならびに姿勢を調整することができるので、レンズユニットのハウジングに対する位置および姿勢を基準位置および基準姿勢に調整することができる。
【００１９】
またレンズユニットは、支持手段によって被支持部が支持されているので、レンズユニットの位置および姿勢調整後に、レンズユニットに外力が働いても、少なくとも支持手段によって支持される被支持部が、基準方向へ変位してしまうことがない。したがって対物レンズが不所望に大きくずれてしまうことがなく、光ピックアップ装置の信頼性を高くすることができる。
【００２０】
また本発明は、支持手段は、
ハウジングに対する基準方向の位置を調整可能に設けられ、前記被支持部に、一方の基準方向下流側から当接する第１支持体と、
ハウジングに基準方向へ弾発的に変位可能に保持され、前記被支持部に、他方の基準方向下流側から弾発的に当接する第２支持体と有することを特徴とする。
【００２１】
本発明に従えば、第１支持体は、ハウジングに対する基準方向の位置を調整可能に設けられ、前記被支持部に、一方の基準方向下流側から当接する。また第２支持体は、ハウジングにフォーカス方向へ弾発的に変位可能に保持され、被支持部に、他方の基準方向下流側から弾発的に当接する。したがって第１支持体と第２支持体とで被支持部が、弾発的に狭持されているので、レンズユニットの位置および姿勢調整後に、レンズユニットに外力が働いても、少なくとも被支持部が、基準方向へ変位してしまうことがない。したがって対物レンズが不所望に大きくずれてしまうことがなく、光ピックアップ装置の信頼性を高くすることができる。
【００２２】
また本発明は、ハウジングに設けられ、弾発的に変形可能な保護カバーをさらに含み、
前記第２支持体は、保護カバーに設けられることを特徴とする。
【００２３】
本発明に従えば、ハウジングに設けられ、弾発的に変形可能な保護カバーに第２支持体が設けられるので、第２支持体をハウジングに保持させるための新たな部品を省くことができる。
【００２４】
また本発明は、第１および第２支持体は、レンズユニットの被支持部に当接する部分の外表面が、凸に湾曲する曲面に形成されることを特徴とする。
【００２５】
本発明に従えば、第１および第２支持体は、レンズユニットの被支持部に当接する部分の外表面が、凸に湾曲する曲面に形成される。したがってレンズユニットの被支持部は、小さい接触面積で第１および第２支持体に接触し、かつ滑らかな面で接触するので、レンズユニットのハウジングに対する位置および姿勢を基準位置および基準姿勢に調整する調整作業が容易になる。
【００２６】
また本発明は、第１および第２支持体が前記被支持部に当接する各当接位置の中心点を結ぶ仮想一直線は、基準軸線に関して略平行な方向であることを特徴とする。
【００２７】
本発明に従えば、第１および第２支持体が被支持部に当接する各当接位置の中心点を結ぶ仮想一直線は、基準軸線に関して、略平行な方向である。したがって第２支持体が弾発的に被支持部に当接するときに、被支持部まわりに角変位するような力が加えられることを防ぐことができる。これによってレンズユニットを基準姿勢に調整した後に、不所望に被支持部まわりに各変位することを防ぎ、光ピックアップ装置の信頼性を高くすることができる。またレンズユニットを基準姿勢に調整するときの作業が容易になる。
【００２８】
また本発明は、前記被支持部は、対物レンズの近傍に配置されることを特徴とする。
本発明に従えば、被支持部は対物レンズの近傍に配設されるので、レンズユニットが基準位置および基準姿勢からずれた場合であっても、対物レンズが大きくずれることを防ぐことができる。したがって光ピックアップ装置の信頼性を高くすることができる。
【００２９】
また本発明は、対物レンズおよび対物レンズを変位駆動する駆動源を有するレンズユニットを、ハウジングに搭載し、レンズユニットの予め定める１箇所の被支持部を、ハウジングの基準軸線に沿う基準方向に位置決めする被支持部位置決め工程と、
レンズユニットのハウジングに対する前記被支持部まわりの角度位置および基準軸線に垂直な方向のスライド位置を調整する位置姿勢調整工程と、
レンズユニットがハウジングに対して基準位置および基準姿勢にあるか否かを判定し、レンズユニットがハウジングに対して基準位置および基準姿勢に配置されるまで、被支持部工程および位置姿勢工程を繰返す繰返し工程と、
レンズユニットがハウジングに対して基準位置および基準姿勢に配置される状態で、レンズユニットとハウジングとを連結する連結工程とを含むことを特徴とする光ピックアップ装置の製造方法である。
【００３０】
本発明に従えば、レンズユニットの予め定める１箇所の被支持部を、ハウジングの基準方向に位置決めする。したがってレンズユニットを基準位置および基準姿勢に調整するときに、レンズユニットがハウジングの基準軸線に沿う基準方向に不所望に変位することを防ぐことができる。これによってハウジングの基準軸線に沿う基準方向に位置調整する位置調整作業の回数を減らすことができるので、光ピックアップ装置の生産性を向上することができる。
【発明の効果】
【００３１】
本発明によれば、レンズユニットのハウジングに対する基準方向の位置および基準方向に垂直な方向の位置ならびに姿勢を調整することができるので、レンズユニットのハウジングに対する位置および姿勢を基準位置および基準姿勢に調整することができる。
【００３２】
またレンズユニットの位置および姿勢調整後に、レンズユニットに外力が働いても、少なくとも支持手段によって支持される被支持部が、基準方向へ変位してしまうことがない。したがって対物レンズが不所望に大きくずれてしまうことがなく、光ピックアップ装置の信頼性を高くすることができる。
【００３３】
本発明によれば、対物レンズが不所望に大きくずれてしまうことがなく、光ピックアップ装置の信頼性を高くすることができる。
【００３４】
本発明によれば、第２支持体をハウジングに保持させるための新たな部品を省くことができる。
【００３５】
本発明によれば、レンズユニットのハウジングに対する位置および姿勢を基準位置および基準姿勢に調整する調整作業が容易になる。
【００３６】
本発明によれば、レンズユニットを基準姿勢に調整した後に、不所望に被支持部まわりに各変位することを防ぎ、光ピックアップ装置の信頼性を高くすることができる。またレンズユニットを基準姿勢に調整するときの作業が容易になる。
【００３７】
本発明によれば、レンズユニットが基準位置および基準姿勢からずれた場合であっても、対物レンズが大きくずれることを防ぐことができる。したがって光ピックアップ装置の信頼性を高くすることができる。
本発明によれば、光ピックアップ装置の生産性を向上することができる。
【発明を実施するための最良の形態】
【００３８】
図１は、本発明の実施の一形態の光ピックアップ装置２３の側面図である。図２は、光ピックアップ装置２３の正面図である。光ピックアップ装置２３は、ハウジング２４と、レンズユニット２５と支持手段２６と、連結手段２７とを含んで構成される。ハウジング２４は、大略的にＵ字状の側壁部（以下「ハウジング側壁部」という場合がある）２８と、ハウジング側壁部２８の両端部を連結する連結部（以下「ハウジング連結部」という場合がある）２９とを有する。
【００３９】
ハウジング２４は、基準軸線Ｌ２（図２の紙面垂直な軸線）を有しており、ハウジング連結部２９は、基準軸線Ｌ２と垂直な仮想平面に沿って延びている。レンズユニット２５は、ハウジング側壁部２８に囲まれる領域に、少なくとも部分的に嵌まり込んで、ハウジング２４に搭載されている。
【００４０】
支持手段２６は、ハウジング２４に対して基準軸線Ｌ２に沿う基準方向の位置を調整可能に設けられ、レンズユニット２５の予め定める１箇所の被支持部３０を、基準方向のうち、少なくとも一方の基準方向下流側から支持して、レンズユニット２５を、ハウジング２４に対して、被支持部３０まわりに角変位可能にかつ基準方向に垂直な方向へスライド変位可能に支持する。連結手段２７は、レンズユニット２５が、ハウジング２４に対して、予め定める基準位置および基準姿勢にある状態で、レンズユニット２５をハウジング２４に連結する。
【００４１】
レンズユニット２５は、対物レンズ３１、対物レンズ３１を変位可能に保持する基部３２および対物レンズ３１を基部３２に対して変位駆動する駆動源３３とを有する。レンズユニット２５は、たとえば２軸アクチュエータであって、具体的には４ワイヤ形アクチュエータによって実現される。対物レンズ３１は、対物レンズ３１の軸線（以下「レンズ軸線」という）Ｌ３に沿うレンズ軸線方向Ｚ１，Ｚ２および一レンズ軸直角方向Ｘ１，Ｘ２へ、予め定める可動範囲内で、変位可能に基部３２に保持されている。
【００４２】
駆動源３３は、基部３２に設けられ、対物レンズ３１を基部３２に対してレンズ軸線方向Ｚ１，Ｚ２および一レンズ軸直角方向Ｘ１，Ｘ２へ、前記可動範囲内で変位駆動する。レンズユニット２５は、レンズ軸線Ｌ３と基準軸線Ｌ２とが一致し、かつ一レンズ軸直角方向Ｘ１，Ｘ２と一基準軸直角方向とが一致するように、ハウジング２４に搭載される。一レンズ軸直角方向Ｘ１，Ｘ２は、レンズ軸線方向Ｚ１，Ｚ２に垂直な一方向である。一基準軸直角方向は、ハウジング２４における基準軸線Ｌ２に垂直な一方向である。
【００４３】
支持手段２６は、第１支持体３４と第２支持体３５とを有する。第１支持体３４は、ハウジング２４に対する基準方向の位置を調整可能に設けられる。本実施形態の第１支持体３４は、たとえばねじ部材３６の一端部３６ａに設けられる。ねじ部材３６は、外ねじが刻設される軸部３６ｂと、軸部３６ｂの他端部３６ｃに形成される軸部３６ｃよりも外径の大きい頭部３６ｄとを有する。第１支持体３４の外表面は、ねじ部材３６の一端部３６ａから凸に湾曲するように形成される。ねじ部材３６は、ハウジング２４の予め定める位置に内ねじを刻設し、形成されるねじ孔部３７に螺着する。
【００４４】
ねじ孔部３７は、たとえばハウジング側壁部２８からハウジング側壁部２８に囲まれる領域に突出する突出部３８に形成される。具体的には、突出部３８は、ハウジング２４の第２一レンズ軸直角方向Ｘ２下流側のハウジング側壁壁部（以下「第１ハウジング側壁部」という場合がある）３９の第２タンジェンシャル方向Ｙ１側の端部に連なって形成される。突出部３８の第１レンズ軸線方向Ｚ１下流側の表面部３８ａは、第１ハウジング側壁部３９の第１レンズ軸線方向Ｘ１下流側の表面部３９ａよりもハウジング連結部２９に向って退避した位置に形成される。突出部３８の第２レンズ軸線方向Ｚ２下流側の表面部である裏面部３９ｂには、ハウジング２４の第２レンズ軸線方向Ｚ２下流側の表面部２４ａから第１レンズ軸線Ｚ１に向けて退避した凹所４１が形成される。
【００４５】
ねじ孔部３７に形成されるねじ孔４２は、凹所４１から突出部３８の表面部３８ａに向って基準軸線Ｌ２に沿って貫通する。ねじ部材３６は、ねじ孔部３７に一端部３６ａを第１レンズ軸線方向Ｚ１に向けて螺着する。ねじ部材３６をねじ孔部３７に螺進または螺退させることによって、第１支持体３４のハウジング２４に対する基準方向の位置を調整することができる。
【００４６】
第２支持体３５は、ハウジング２４に基準軸線方向に弾発的に変位可能に保持される。本実施形態では第２支持体３５は、たとえば大略Ｌ字状に屈曲する板ばね部材４３に設けられる。板ばね部材４３は、一端部４３ａがハウジング２４の突出部３８の表面部３８ｂから第１レンズ軸線方向Ｚ１に立上がるように、ハウジング２４に設けられる。
【００４７】
板ばね部材４３の一端部４３ａに連なる他端部４３ｂは、板ばね部材４３の一端部４３ａから屈曲してハウジング側壁部２８に囲まれる領域に向って延びる。本実施形態では、板ばね部材４３は、他端部４３ｂが突出部３８に対向するように設けられる。板ばね部材４３の他端部４３ｂの突出部３８と対向する表面部４３ｃには、第２支持体３５が設けられる。第２支持体３５の外表面は、突出部３８の表面部３８ａに向って凸に湾曲するように形成される。第２支持体３５は、第１支持体３４と対向するように板ばね部材４３の他端部４３ｂに設けられる。具体的には、第１支持体３４と第２支持体３５とが被支持部３０に当接したときの当接位置の中心点を結ぶ仮想一直線が、基準軸線Ｌ２に関して略平行になるように、第２支持体３５を第１支持体３４に対向させる。第２支持体３５は具体的にはピボットによって実現される。本実施形態の第１支持体３４の耐摩擦性は、第２支持体の耐摩擦性よりも大きい。
【００４８】
基部６は、レンズ軸線Ｌ３に垂直な仮想平面に延びる連結部（以下「基部連結部」という場合がある）４４と、基部連結部４４の両端部からレンズ軸線方向Ｚ１に向って立上がる側壁部（以下「基部側壁部」という場合がある）４５とを有する。基部６は、第１タンジェンシャル方向Ｙ１から見て大略凹字状形状を有する。基部側壁部４５は、タンジェンシャル方向Ｙに延びる。タンジェンシャル方向Ｙは、レンズ軸線方向Ｚ１，Ｚ２および一レンズ軸直角方向Ｘ１，Ｘ２に垂直な方向である。基部連結部４４の第１レンズ軸線方向Ｚ１の下流側の表面部４４ａには駆動源３３が設けられる。
【００４９】
駆動源３３は、ヨーク４６と、トラッキングコイル４７と、フォーカスコイル４８と、マグネット４９と、スペーサ５０と、ワイヤ５１と、レンズホルダ５２とを含んで構成される。スペーサ５０は、第２タンジェンシャル方向Ｙ２に向って開放する、第２レンズ軸線方向Ｚ２から見て凹字状の形状を有する。スペーサ５０は、基部連結部４４の第２タンジェンシャル方向Ｙ２下流側に固定される。スペーサ５０は、第２一レンズ軸直角方向Ｘ２下流側かつ第２タンジェンシャル方向Ｙ２下流側において、タンジェンシャル方向Ｙに互いに平行にして延びる２本のワイヤ５１の一端部を支持する。またスペーサ５０は、第１一レンズ軸直角方向Ｘ１下流側かつ第２タンジェンシャル方向Ｙ２下流側において、タンジェンシャル方向Ｙに互いに平行にして延びる２本のワイヤ５１の一端部を支持する。
【００５０】
レンズホルダ５２には、対物レンズ３１が設けられる。レンズホルダ５２の中央部には、レンズ軸線方向Ｚ１，Ｚ２に貫通する略矩形状の貫通孔が形成される。またレンズホルダ５２は、４本のワイヤ５１の他端部と接続される。これによって対物レンズ３１は、スペーサ５０，ワイヤ５１およびレンズホルダ５２を介して、基部３２とは離間している状態で、レンズ軸線方向Ｚ１，Ｚ２および一レンズ軸直角方向Ｘ１，Ｘ２変位可能に基部３２に保持される。本実施形態では、レンズ軸線Ｌ３に垂直な仮想平面に関して、対物レンズ３１の中心は、基部３２から第２タンジェンシャル方向Ｙ２に突出して設けられる。トラッキングコイル４７およびフォーカスコイル４８は、レンズホルダ５２に設けられ、貫通孔に配置される。
【００５１】
ヨーク４６は、フォーカスコイル４８に挿通されるとともに、基部３２の中央部に設けられる。マグネット４９は、基部３２の中心部に設けられ、マグネット４９に当接するようにしてヨーク４６が設けられる。トラッキングコイル４７およびフォーカスコイ４８に流す電流の流れの向きを変えて吸引力および反発力を発生させることによって、対物レンズ３１をレンズ軸線方向Ｚ１，Ｚ２および一レンズ軸直角方向Ｘ１，Ｘ２に変位駆動する。
【００５２】
被支持部３０は、本実施形態ではたとえば基部３２に配置される。被支持部３０は、対物レンズ３１の近傍に配置される。具体的には、レンズユニット２５の駆動源３３を構成する各部と比べて対物レンズ３１の近くに配置される。本実施形態では具体的には被支持部３０は、基部３２の基部連結部４４に連なる連結部（以下「支持体連結部」という場合がある）５３に配置される。支持体連結部５３は、たとえば基部３２の第２タンジェンシャル方向Ｙ２下流側かつ第２一レンズ軸直角方向Ｘ２下流側に形成される。支持体連結部５３は、それぞれ平板状の一端部５３ａ、中間部５３ｂおよび他端部５３ｃを有する。支持体連結部５３の一端部５３ａは、基部連結部４４の第１一レンズ軸直角方向Ｘ１下流側かつ第２タンジェンシャル方向Ｙ２下流側から、第２タンジェンシャル方向Ｙ２に延びる。
【００５３】
支持体連結部５３の中間部５３ｂは、支持体連結部５３の一端部５３ａの第２タンジェンシャル方向Ｙ２下流側から、第１レンズ軸線方向Ｚ１に向って立上がる。支持体連結部５３の他端部５３ｃは、支持体連結部５３の中間部５３ｂの第１レンズ軸線方向Ｚ１下流側から、第２タンジェンシャル方向Ｙ２に延びる。支持体連結部５３の他端部５３ｃは、基部連結部４４に対して略平行に延びる。被支持部３０は、支持体連結部５３の他端部５３ｃに配置される。このように支持体連結部５３は、第２一レンズ軸直角方向Ｘ２から見て略Ｓ字状に形成される。
【００５４】
本実施形態では、支持体連結部５３の他端部５３ｃの第１レンズ軸線方向Ｚ１下流側の表面部５３ｄから基部連結部４４の第１レンズ軸線方向Ｚ１下流側の表面部４４ａまでの距離ｈ１は、対物レンズ３１の中心の第２レンズ軸線方向Ｚ２下流側の表面部３１ａから基部連結部４４の表面部４４ａまでの距離ｈ２と略同一になるように被支持部３０が配置される。被支持部３０は、第１支持体３４および第２支持体３５によって弾発的に挟まれるように支持される。被支持部３０は、対物レンズ３１の近傍に配置される。
【００５５】
本実施形態では、第２支持体３５が設けられるばね部材４３の曲げ強度は、支持体連結部５３の曲げ強度よりも小さくする。これによって被支持部３０が第１支持体３４と第２支持体３５との間に挟まれ、付勢力が被支持部３０に与えられた状態であっても、滑らかにレンズユニット２５のハウジング２４に対する姿勢を調整することができる。
【００５６】
本実施形態では、連結手段２７は基部側壁部４５とハウジング側壁部２８とを連結する。具体的には、連結手段２７は、接着剤によって実現される。ハウジング２４に対してレンズユニット２５の位置および姿勢が調整された状態で、ハウジング２４とレンズユニット２５とが接着剤で接着固定される。接着剤は、ハウジング側壁部２８の内周面部２８ａと、基部側壁部４５の外周面部４５ａとの間に設けられる。
【００５７】
図３は、光ピックアップ装置２３の製造方法の処理手順を示すフローチャートである。本実施形態の光ピックアップ装置２３の製造方法は、被支持部位置決め工程と、位置姿勢調整工程と、繰返し工程と、連結工程とを含む。本実施形態の光ピックアップ装置２３の製造方法は、たとえばレンズユニット２５のハウジング２４に対する位置調整用のＺステージおよび姿勢調整用の２方向スイベルステージとを含む調整装置を用いて行われる。位置調整装置の２方向スイベルステージには位置決めピンが設けられ、基部３２をスイベルステージに対して位置決めする。基部３２のスイベルステージへの位置決めが完了するとステップＳ１に進む。
【００５８】
ステップＳ１では、作業者がレンズユニット２５を、ハウジング２４に搭載し、レンズユニット２５の被支持部３０を、ハウジング２４の基準方向に位置決めする被支持部位置決め工程を実行する。本実施形態では、具体的にはねじ部材３６をねじ孔部３７に螺進または螺退させることによって、被支持部３０のハウジング２４に対する基準方向の位置を調整する。被支持部３０の基準方向の位置の調整が完了すると、ステップＳ２に移行する。
【００５９】
ステップＳ２では、レンズユニット２５のハウジング２４に対する被支持部３０まわりの角度位置および基準軸線に垂直な方向のスライド位置を調整する位置姿勢調整工程を実行する。本実施形態では、具体的には、たとえば位置調整用のＺステージおよび姿勢調整用の２方向スイベルステージとを含む調整装置を用いて、作業者がレンズユニット２５のハウジング２４に対する位置および姿勢を調整する。レンズユニット２５のハウジング２４に対する位置および姿勢の調整が完了すると、ステップＳ３に移行する。
【００６０】
ステップＳ３では、作業者がレンズユニット２５がハウジング２４に対して基準位置および基準姿勢に配置されているか否か判定する。レンズユニット２５がハウジング２４に対して基準位置および基準姿勢に配置されていない場合は、ステップＳ１に移行してステップＳ１およびステップＳ２を繰返す。作業者がレンズユニット２５がハウジング２４に対して基準位置および基準姿勢に配置されている場合は、ステップＳ４に移行する。
【００６１】
ステップＳ４では、レンズユニット２５がハウジング２４に対して基準位置および基準姿勢に配置される状態で、レンズユニット２５とハウジング２４とを連結する連結工程を実行する。本実施形態では、たとえばレンズユニット２５がハウジング２４に対して基準位置および基準姿勢に配置されると、作業者が連結手段２７の一例である接着剤、より具体的には紫外線硬化接着剤を、ハウジング側壁部２８の内周面部２８ａと、レンズユニット２５の基部側壁部４５の外周面部４５ａとの間に設ける。紫外線硬化接着剤に紫外線を照射することによって硬化固定する。紫外線硬化接着剤によってハウジング２４とレンズユニット２５とを連結するので、接着剤と比較して短時間で固定することができる。
【００６２】
図４は、光ピックアップ装置２３の正面図である。図５は、光ピックアップ装置２３の断面図である。光ピックアップ装置２３は、記録用のディスク５４に対して、情報を記録および再生する記録再生装置に搭載される。記録再生装置は、ディスク５４が着脱可能に装着されるターンテーブル５６と、ターンテーブル５６を回転駆動する駆動源とが設けられている。ディスク５４は、ディスク５４の記録面５５とターンテーブル５６の回転軸線Ｌ１（図３の紙面垂直な方向）とが垂直になるように、ターンテーブル５６に装着される。ディスク５４には、たとえばコンパクトディスク（Compact Disk；略称ＣＤ）およびディジタルバーサタイルディスク（Digital Versatile Disk；略称ＤＶＤ）などの光学的に読取りあるいは書込み可能な記録媒体を含む。
【００６３】
光ピックアップ装置２３は、基準軸線Ｌ２がターンテーブル５６の回転軸線Ｌ１と平行になり、基準軸線Ｌ２と直交して一基準軸直角方向に延びる仮想直線が、ターンテーブル５６の回転軸線Ｌ１と直交する状態で、記録再生装置に設けられる。また光ピックアップ装置２３は、基準軸線Ｌ２上に存在する基準点が、ターンテーブル５６に対して回転軸線Ｌ１に垂直な基準面と一致するように、回転軸線Ｌ１に沿う方向に位置決めされる。さらに光ピックアップ装置２３は、一基準軸直角方向へ変位可能に設けられ、記録再生装置に設けられるピックアップ駆動源によって、一基準軸直角方向へ変位駆動される。一基準軸直角方向は、ディスク５４に対して、ディスク５４の一直径線に沿う方向である。一基準軸直角方向は、具体的にはディスク５４の半径方向に略平行な方向であるトラッキング方向Ｅと一致する。トラッキング方向Ｅは、ディスク５４の半径方向内方に向かう方向に略平行な第１トラッキング方向Ｅ１と、ディスクの半径方向外方に向かう方向に略平行な第２トラッキング方向Ｅ２とを含む。
【００６４】
光ピックアップ装置２３は、発光素子５７とコリメーションレンズ５８と反射ミラー５９とをさらに含んで構成される。発光素子５７から射出される光は、コリメーションレンズ５８を介して、平行光線（以下「光ビーム」という場合がある）に形成される。光ビームは、反射ミラー５９で反射され、対物レンズ３１によってディスク５４の記録面５５に略垂直になるように集光される。光ピックアップ装置２３は、基準軸線Ｌ２がディスクのトラックに沿って移動するように変位駆動されながら、発光素子からの光ビームを記録面５５に照射することによって、トラックに沿って記録される情報を再生し、またはトラックに沿って情報を記録することができる。
【００６５】
レンズユニット２５は、光ビームを対物レンズ３１でディスク５４の記録面５５に好適に集光するように、ターンテーブル５６が回転することによって回転するディスク５４の記録面５５に対して、対物レンズ３１の姿勢および位置を調整する。対物レンズ３１は、レンズユニット２５によって、トラッキング方向Ｅおよびフォーカス方向Ｆに変位駆動する。対物レンズ３１とディスク５４の記録面との間におけるレンズ軸線Ｌ３に平行な方向であるフォーカス方向Ｆは、トラッキング方向Ｅに略垂直な方向であって、ディスク５４の回転軸線Ｌ１に略平行な方向であり、ディスク５４の記録面５５に近接する方向である第１フォーカス方向Ｆ１と、ディスク５４の記録面５５に離反する方向であり、第１フォーカス方向Ｆ１とは逆向きの第２フォーカス方向Ｆ２とを含む。
【００６６】
一方向であるタンジェンシャル方向Ｙは、対物レンズ３１のレンズ軸線Ｌ３に略垂直かつトラッキング方向Ｅに略垂直な方向であって、対物レンズ３１から見たときに、ディスク４５がスピンドルモータ４９の回転軸線Ｌ１まわりに回転するときの速度方向に略平行な方向である。タンジェンシャル方向Ｙは、対物レンズ３１から見て、ディスク５４が回転するときの速度方向と同じ向きの第１タンジェンシャル方向Ｙ１と、第１タンジェンシャル方向Ｙ１とは逆向きの第２タンジェンシャル方向Ｙ２とを含む。
【００６７】
本実施形態では、ハウジング２４に対するレンズユニット２５の姿勢および位置が調整されているので、レンズ軸線方向Ｚ１，Ｚ２は、フォーカス方向Ｆに一致する。第１レンズ軸線方向Ｚ１は、第１フォーカス方向Ｆ１に一致する。第１レンズ軸線方向Ｚ１は、第１フォーカス方向Ｆ１に一致する。本実施形態の一レンズ軸直角方向Ｘ１，Ｘ２は、トラッキング方向Ｅと一致する。第１一レンズ軸直角方向Ｘ１は、第１トラッキング方向Ｅ１と一致し、第２一レンズ軸直角方向Ｘ２は、第２トラッキング方向Ｅ２に一致する。
【００６８】
本実施形態の光ピックアップ装置２３によれば、レンズユニット２５の被支持部３０が、少なくとも一方の基準方向下流側から支持手段２６によって支持され、これによってレンズユニット２５が、ハウジング２４に対して、被支持部３０まわりに角変位可能にかつ基準方向に垂直な方向へスライド変位可能に支持される。これによってレンズユニット２５をハウジング２４に対して姿勢調整可能であるとともに、基準方向に垂直な方向へ位置調整可能である。さらに支持手段２６は、ハウジング２４に対する基準方向の位置を調整可能であり、この支持手段２６を基準方向へ位置調整することによって、レンズユニット２５をハウジング２４に対して基準方向へ位置調整することができる。したがってレンズユニット２５のハウジング２４に対する基準方向の位置および基準方向に垂直な方向の位置ならびに姿勢を調整することができるので、レンズユニット２５のハウジング２４に対する位置および姿勢を基準位置および基準姿勢に調整することができる。
【００６９】
またレンズユニット２５は、支持手段２６によって被支持部３０が支持されているので、レンズユニット２５の位置および姿勢調整後に、レンズユニット２５に外力が働いても、少なくとも支持手段２６によって支持される被支持部３０が、基準方向へ変位してしまうことがない。したがって対物レンズ３１が不所望に大きくずれてしまうことがなく、光ピックアップ装置の信頼性を高くすることができる。
【００７０】
本実施形態の光ピックアップ装置２３によれば、第１支持体３４は、ハウジング２４に対する基準方向の位置を調整可能に設けられ、前記被支持部３０に、一方の基準方向下流側から当接する。また第２支持体３５は、ハウジング２４にフォーカス方向Ｆへ弾発的に変位可能に保持され、被支持部３０に、他方の基準方向下流側から弾発的に当接する。したがって第１支持体３４と第２支持体３５とで被支持部３０が、弾発的に狭持されているので、レンズユニット２５の位置および姿勢調整後に、レンズユニット２５に外力が働いても、少なくとも被支持部３０が、基準方向へ変位してしまうことがない。したがって対物レンズ３１が不所望に大きくずれてしまうことがなく、光ピックアップ装置２３の信頼性を高くすることができる。
【００７１】
本実施形態の光ピックアップ装置２３によれば、第１支持体３４および第２支持体３５は、レンズユニット２５の被支持部３０に当接する部分の外表面が、凸に湾曲する曲面に形成される。したがってレンズユニット２５の被支持部３０は、小さい接触面積で第１支持体３４および第２支持体３５に接触し、かつ滑らかな面で接触するので、レンズユニット２５のハウジング２４に対する位置および姿勢を基準位置および基準姿勢に調整する調整作業が容易になる。
【００７２】
本実施形態の光ピックアップ装置２３によれば、第１支持体３４および第２支持体３５が被支持部３０に当接する各当接位置の中心点を結ぶ仮想一直線は、基準軸線Ｌ２に関して、略平行な方向である。したがって第２支持体３５が弾発的に被支持部３０に当接するときに、被支持部３０まわりに角変位するような力が加えられることを防ぐことができる。これによってレンズユニット２５を基準姿勢に調整した後に、不所望に被支持部３０まわりに各変位することを防ぎ、光ピックアップ装置２３の信頼性を高くすることができる。またレンズユニット２５を基準姿勢に調整するときの作業が容易になる。
【００７３】
本実施形態の光ピックアップ装置２３によれば、被支持部３０は対物レンズ３１の近傍に配設されるので、レンズユニット２５が基準位置および基準姿勢からずれた場合であっても、対物レンズ３１が大きくずれることを防ぐことができる。したがって光ピックアップ装置２３の信頼性を高くすることができる。
【００７４】
本実施形態の光ピックアップ装置２３の製造方法によれば、レンズユニット２５の予め定める１箇所の被支持部３０を、ハウジングの基準方向に位置決めする。したがってレンズユニットを基準位置および基準姿勢に調整するときに、レンズユニットがハウジングの基準軸線に沿う基準方向に不所望に変位することを防ぐことができる。これによってハウジング２４の基準軸線に沿う基準方向に位置調整する位置調整作業の回数を減らすことができるので、光ピックアップ装置２３の生産性を向上することができる。
【００７５】
また被支持部３０が対物レンズ３１の近傍に設けられている。したがって位置調整工程でレンズユニット２５のハウジング２４に対する被支持部３０まわりの角度位置および基準軸線Ｌ２に垂直な方向のスライド位置を調整するときに、対物レンズ３１のハウジングに対する姿勢および位置を微調整することができるので、作業が容易になる。
【００７６】
図６は、本発明の実施の他の形態の光ピックアップ装置２３Ａの側面図である。図７は、光ピックアップ装置２３Ａの正面図である。光ピックアップ装置２３Ａは、光ピックアップ装置２３と類似しており、対応する構成には同一の符号を付し、異なる構成についてだけ説明する。
【００７７】
本実施形態の第２支持体３５は、レンズユニット２５を外乱から保護する保護カバー６０に設けられる。保護カバー６０は、平板状であって、中央には凸字状の空間６０ａが形成される。保護カバー６０は、弾発的に変形可能な部材によって形成され、本実施の形態ではたとえば板ばね部材によって形成される。保護カバー６０は、保護カバー６０の周囲にわたって、ハウジング側壁部２８の第２レンズ軸線方向Ｚ２上流側の側壁の表面部２８ｂと接続される。第２支持体３５は、突出部３８に対向する保護カバー６０の表面部６０ｂに設けられる。
【００７８】
これによって、弾発的に第２支持体３５が変位可能にハウジング２４に保持され、第１支持体３４と第２支持体３５とで被支持部３０を弾発的に狭持して支持する。これによってレンズユニット２５を、ハウジング２４に対して、被支持部３０まわりに角変位可能にかつ基準方向に垂直な方向へスライド変位可能に支持する。本実施形態の光ピックアップ装置２３Ａは、前述の光ピックアップ装置２３と同様の効果を達成することができる。
【００７９】
また本実施形態の光ピックアップ装置２３Ａによれば、光ピックアップ装置２３Ａのレンズユニット２５および光学系などを外乱から保護する保護カバー６０に第２支持体３５が設けられるので、第２支持体３５をハウジング２４に保持させるための新たな部品を省くことができる。
【図面の簡単な説明】
【００８０】
【図１】本発明の実施の一形態の光ピックアップ装置２３の側面図である。
【図２】光ピックアップ装置２３の正面図である。
【図３】光ピックアップ装置２３の製造方法の処理手順を示すフローチャートである。
【図４】光ピックアップ装置２３の正面図である。
【図５】光ピックアップ装置２３の断面図である。
【図６】本発明の実施の他の形態の光ピックアップ装置２３Ａの側面図である。
【図７】光ピックアップ装置２３Ａの正面図である。
【図８】従来の光ピックアップ装置１の正面図である。
【図９】光ピックアップ装置１の側面図である。
【図１０】他の従来の光ピックアップ装置１Ａを示す斜視図である。
【図１１】光ピックアップ装置１Ａにおけるレンズユニット４のハウジング２への連結構造を示す断面図である。
【符号の説明】
【００８１】
２３  光ピックアップ装置
２４  ハウジング
２５  レンズユニット
２６  支持手段
２７  連結手段
３０  被支持部
３１  対物レンズ
３２  基部
３３  駆動源
３４  第１支持体
３５  第２支持体
【図１】
2007035097.tif 000003
【図２】
2007035097.tif 000004
【図３】
2007035097.tif 000005
【図４】
2007035097.tif 000006
【図５】
2007035097.tif 000007
【図６】
2007035097.tif 000008
【図７】
2007035097.tif 000009
【図８】
2007035097.tif 000010
【図９】
2007035097.tif 000011
【図１０】
2007035097.tif 000012
【図１１】
2007035097.tif 000013